(57)【要約】【課題】ユーザの使用状況に応じて省電力化を図る。【解決手段】実施形態による方法は、ユーザにより装着可能な他の電子機器と通信することが可能な電子機器を制御するための方法である。この方法は、一例として、他の電子機器から受信され、他の電子機器と電子機器との間の距離の測定に使用可能な第１信号に応じて、電子機器に対する操作の少なくとも一部の受け付けを制限することと、電子機器によりユーザによる直接の操作が受け付けられている期間に、他の電子機器と電子機器との間の第１信号の通信量を第１レベルから第１レベルよりも小さい第２レベルに低減することとを備える。【選択図】図３
2016019125.tif 000002
【特許請求の範囲】
【請求項１】
ユーザにより装着可能な他の電子機器と通信することが可能な電子機器を制御するための方法であって、
前記他の電子機器から受信され、前記他の電子機器と前記電子機器との間の距離の測定に使用可能な第１信号に応じて、前記電子機器に対する操作の少なくとも一部の受け付けを制限し、
前記電子機器により前記ユーザによる直接の操作が受け付けられている期間に、前記他の電子機器と前記電子機器との間の第１信号の通信量を第１レベルから前記第１レベルよりも小さい第２レベルに低減する、方法。
【請求項２】
第１信号の通信量を前記第２レベルに低減した後、ユーザの前記電子機器に対する直接の操作が一定時間以上検出されない場合に、第１信号の通信量を前記第２レベルから前記第１レベルに戻す、請求項１に記載の方法。
【請求項３】
ユーザが前記他の電子機器を装着しているときには、前記他の電子機器から第１信号を受信し、
ユーザが前記他の電子機器を装着していないときには、前記他の電子機器から第１信号を受信しない、請求項１または２に記載の方法。
【請求項４】
前記他の電子機器に備えられたセンサの出力値が第１状態であるときには、前記他の電子機器から第１信号を受信し、
前記他の電子機器に備えられたセンサの出力値が前記第１状態とは異なる第２状態であるときには、前記他の電子機器から第１信号を受信しない、請求項１〜３のいずれか１項に記載の方法。
【請求項５】
前記電子機器の通信機能を一時的にオフにすることにより、第１信号の通信量を前記第２レベルに低減する、請求項１〜４のいずれか１項に記載の方法。
【請求項６】
ユーザにより装着可能な他の電子機器と通信することが可能な電子機器であって、
前記他の電子機器から受信され、前記他の電子機器と前記電子機器との間の距離の測定に使用可能な第１信号に応じて、前記電子機器に対する操作の少なくとも一部の受け付けを制限し、前記電子機器により前記ユーザによる直接の操作が受け付けられている期間に、前記他の電子機器と前記電子機器との間の第１信号の通信量を第１レベルから前記第１レベルよりも小さい第２レベルに低減するプロセッサを備える、電子機器。
【請求項７】
前記プロセッサは、第１信号の通信量を前記第２レベルに低減した後、ユーザの前記電子機器に対する直接の操作が一定時間以上検出されない場合に、第１信号の通信量を前記第２レベルから前記第１レベルに戻すように構成されている、請求項６に記載の電子機器。
【請求項８】
前記プロセッサは、ユーザが前記他の電子機器を装着しているときには、前記他の電子機器から第１信号を受信し、ユーザが前記他の電子機器を装着していないときには、前記他の電子機器から第１信号を受信しないように構成されている、請求項６または７に記載の電子機器。
【請求項９】
前記プロセッサは、前記他の電子機器に備えられたセンサの出力値が第１状態であるときには、前記他の電子機器から第１信号を受信し、前記他の電子機器に備えられたセンサの出力値が前記第１状態とは異なる第２状態であるときには、前記他の電子機器から第１信号を受信しないように構成されている、請求項６〜８のいずれか１項に記載の電子機器。
【請求項１０】
前記プロセッサは、前記電子機器の通信機能を一時的にオフにすることにより、第１信号の通信量を前記第２レベルに低減するように構成されている、請求項６〜９のいずれか１項に記載の電子機器。
【請求項１１】
ユーザにより装着可能な他の電子機器と通信することが可能な電子機器を制御するためにコンピュータに実行させるプログラムであって、
前記他の電子機器から受信され、前記他の電子機器と前記電子機器との間の距離の測定に使用可能な第１信号に応じて、前記電子機器に対する操作の少なくとも一部の受け付けを制限し、
前記電子機器により前記ユーザによる直接の操作が受け付けられている期間に、前記他の電子機器と前記電子機器との間の第１信号の通信量を第１レベルから前記第１レベルよりも小さい第２レベルに低減することを前記コンピュータに実行させる、プログラム。
【請求項１２】
第１信号の通信量を前記第２レベルに低減した後、ユーザの前記電子機器に対する直接の操作が一定時間以上検出されない場合に、第１信号の通信量を前記第２レベルから前記第１レベルに戻すことを前記コンピュータに実行させる、請求項１１に記載のプログラム。
【請求項１３】
ユーザが前記他の電子機器を装着しているときには、前記他の電子機器から第１信号を受信し、
ユーザが前記他の電子機器を装着していないときには、前記他の電子機器から第１信号を受信しないことを前記コンピュータに実行させる、請求項１１または１２に記載のプログラム。
【請求項１４】
前記他の電子機器に備えられたセンサの出力値が第１状態であるときには、前記他の電子機器から第１信号を受信し、
前記他の電子機器に備えられたセンサの出力値が前記第１状態とは異なる第２状態であるときには、前記他の電子機器から第１信号を受信しないことを前記コンピュータに実行させる、請求項１１〜１３のいずれか１項に記載のプログラム。
【請求項１５】
前記電子機器の通信機能を一時的にオフにすることにより、第１信号の通信量を前記第２レベルに低減することを前記コンピュータに実行させる、請求項１１〜１４のいずれか１項に記載のプログラム。
【発明の詳細な説明】
【技術分野】
【０００１】
本発明の実施形態は、方法、電子機器、およびプログラムに関する。
【背景技術】
【０００２】
従来、他の機器から受信される所定の制御信号に基づいて、低消費電力のモードと通常のモードとを切り替える電子機器が知られている。
【先行技術文献】
【特許文献】
【０００３】
【特許文献１】特開２０１１−８７１４０号公報
【発明の概要】
【発明が解決しようとする課題】
【０００４】
上記のような技術では、モードを切り替えるための所定の制御信号を用いることなく、ユーザの使用状況に応じて省電力化を図ることができれば望ましい。
【課題を解決するための手段】
【０００５】
実施形態による方法は、ユーザにより装着可能な他の電子機器と通信することが可能な電子機器を制御するための方法である。この方法は、一例として、他の電子機器から受信され、他の電子機器と電子機器との間の距離の測定に使用可能な第１信号に応じて、電子機器に対する操作の少なくとも一部の受け付けを制限することと、電子機器によりユーザによる直接の操作が受け付けられている期間に、他の電子機器と電子機器との間の第１信号の通信量を第１レベルから第１レベルよりも小さい第２レベルに低減することとを備える。
【図面の簡単な説明】
【０００６】
【図１】図１は、実施形態によるＰＣ（Ｐｅｒｓｏｎａｌ  Ｃｏｍｐｕｔｅｒ）および携帯デバイスの外観を示した例示図である。
【図２】図２は、実施形態によるＰＣおよび携帯デバイスの内部構成を示した例示ブロック図である。
【図３】図３は、実施形態によるＰＣのＣＰＵが実行する制御プログラムの機能的構成を示した例示ブロック図である。
【図４】図４は、実施形態による制御プログラムの各モジュールがＰＣの状態を切り替える際に実行する処理を示した例示フローチャートである。
【図５】図５は、実施形態によるＰＣがアンロック状態である場合に制御プログラムの各モジュールが実行する処理を示した例示フローチャートである。
【図６】図６は、実施形態によるＰＣの通信機能がオフになっている場合に制御プログラムの各モジュールが実行する処理を示した例示フローチャートである。
【図７】図７は、実施形態の変形例によるＰＣおよび携帯デバイスが実行する処理の一例を示した例示シーケンス図である。
【図８】図８は、実施形態の変形例によるＰＣおよび携帯デバイスが実行する処理の図７とは異なる一例を示した例示シーケンス図である。
【発明を実施するための形態】
【０００７】
以下、実施形態を図面に基づいて説明する。
【０００８】
まず、図１を参照して、実施形態によるＰＣ（Ｐｅｒｓｏｎａｌ  Ｃｏｍｐｕｔｅｒ）１００および携帯デバイス２００の概略を説明する。ＰＣ１００は、「電子機器」の一例であり、携帯デバイス２００は、「他の電子機器」の一例である。
【０００９】
図１に示すように、ＰＣ１００は、携帯デバイス２００と無線通信を行うことが可能なように構成されている。ここで用いられる通信方式としては、たとえばＢｌｕｅｔｏｏｔｈ（登録商標）が挙げられるが、Ｂｌｕｅｔｏｏｔｈ（登録商標）以外の通信方式が用いられてもよい。
【００１０】
携帯デバイス２００とは、ユーザが携帯することが可能なように構成された情報処理デバイスである。図１には、携帯デバイス２００の例として、スマートフォン２０１と、ウェアラブルデバイス２０２とが図示されているが、実施形態では、これら以外の一般的な携帯デバイスが用いられてもよい。なお、ウェアラブルデバイス２０２とは、ユーザが身に着けた状態で利用することが可能なように構成された情報処理デバイスである。
【００１１】
次に、図２を参照して、ＰＣ１００および携帯デバイス２００の内部構成について具体的に説明する。
【００１２】
図２に示すように、ＰＣ１００は、入力部１１と、通信部１２と、出力部１３と、電源１４と、ＣＰＵ（Ｃｅｎｔｒａｌ  Ｐｒｏｃｅｓｓｉｎｇ  Ｕｎｉｔ）１５と、メモリ１６とを備える。
【００１３】
入力部１１は、ユーザからの操作入力を受け付けるために設けられたキーボードやタッチパネルなどの入力インターフェースである。通信部１２は、他の機器（携帯デバイス２００）との間の通信に用いられる通信インターフェースである。
【００１４】
出力部１３は、各種情報を映像として表示するディスプレイや音声として出力するスピーカなどの出力インターフェースである。電源１４は、ＰＣ１００の各部に電力を供給するバッテリなどである。
【００１５】
ＣＰＵ１５は、各種コンピュータプログラムを実行することにより、ＰＣ１００の各部を制御するための各種演算処理を行うように構成されている。メモリ１６は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などを含み、ＣＰＵ１５による各種演算処理に用いられる各種コンピュータプログラムや各種データなどを記憶するように構成されている。
【００１６】
また、図２に示すように、携帯デバイス２００は、通信部２１と、電源２２と、ＣＰＵ２３と、メモリ２４と、センサ２５とを備える。
【００１７】
通信部２１は、他の機器（ＰＣ１００）との間の通信に用いられる通信インターフェースである。電源２２は、携帯デバイス２００の各部に電力を供給するモバイルバッテリなどである。
【００１８】
ＣＰＵ２３は、携帯デバイス２００の各部を制御するための各種演算処理を行うように構成されている。メモリ２４は、ＣＰＵ２３による各種演算処理に用いられる各種コンピュータプログラムや各種データなどを記憶するように構成されている。
【００１９】
センサ２５は、加速度センサ、脈拍センサ、温度センサ、気圧センサなどの各種センサデバイスである。なお、図２には図示していないが、携帯デバイス２００は、ディスプレイなどの出力デバイスや、タッチパネルなどの入力デバイスを備えていてもよい。
【００２０】
ここで、実施形態では、ＰＣ１００のＣＰＵ１５は、図３に示すような制御プログラム５００を実行するように構成されている。この制御プログラム５００は、以下で説明するようなモジュール構成となっている。
【００２１】
図３に示すように、制御プログラム５００は、機能的構成として、入力制御部５１と、出力制御部５２と、通信制御部５３と、ロック／アンロック制御部５４と、演算処理部５５とを備える。これらの各モジュールは、ＣＰＵ１５がメモリ１６のＲＯＭから制御プログラム５００を読み出して実行した結果としてメモリ１６のＲＡＭ上に生成される。
【００２２】
入力制御部５１は、入力部１１を介したユーザの入力操作を検出するように構成されている。また、出力制御部５２は、出力部１３への映像出力や音声出力などを制御するように構成されている。
【００２３】
通信制御部５３は、通信部１２を介した各種データの送受信を制御するように構成されている。ロック／アンロック制御部５４は、ＰＣ１００の状態を後述するロック状態とアンロック状態とで切り替えるように構成されている。制御プログラム５００は、各種演算処理を行う機能を有する。
【００２４】
実施形態では、通信制御部５３は、ＰＣ１００と携帯デバイス２００とが互いに通信可能な状態である場合に、携帯デバイス２００から所定の信号（データ）を定期的に受信するように構成されている。そして、ロック／アンロック制御部５４は、携帯デバイス２００から受信される信号の強度に応じて、ＰＣ１００に対する操作の少なくとも一部を制限するように構成されている。
【００２５】
たとえば、携帯デバイス２００から受信される信号の強度がしきい値未満である場合には、ＰＣ１００および携帯デバイス２００が互いに遠い位置に存在すると判断できる。したがって、この場合、ロック／アンロック制御部５４は、携帯デバイス２００を携帯しているユーザ以外のユーザがＰＣ１００を操作することを不可能にするために、ＰＣ１００の状態を、ＰＣ１００に対する直接の入力操作などの受け付けを制限するように構成されたロック状態に設定する。
【００２６】
一方、携帯デバイス２００から受信される信号の強度がしきい値以上である場合には、ＰＣ１００および携帯デバイス２００が互いに近い位置に存在すると判断できる。したがって、この場合、ロック／アンロック制御部５４は、携帯デバイス２００を携帯しているユーザがＰＣ１００を操作することを可能にするために、ＰＣ１００の状態を、ＰＣ１００に対する直接の入力操作などを受け付けることが可能なように構成されたアンロック状態に設定する。
【００２７】
上記のしきい値は、一例として、携帯デバイス２００を携帯しているユーザがＰＣ１００を操作している状況で携帯デバイス２００から受信される信号の強度を基準として決定される。
【００２８】
ここで、携帯デバイス２００を携帯しているユーザがアンロック状態のＰＣ１００に対して入力操作を行っている状況では、ＰＣ１００および携帯デバイス２００が互いに近い位置に存在しているので、ＰＣ１００と携帯デバイス２００との位置関係を特定するためにＰＣ１００から受信される信号の強度を測定する必要がない。
【００２９】
そこで、実施形態では、通信制御部５３は、ＰＣ１００がアンロック状態に設定された状態で、ＰＣ１００に対するユーザの入力操作が入力制御部５１により検出された場合に、ＰＣ１００の（携帯デバイス２００との間の）通信機能をオフにすることにより、ＰＣ１００と携帯デバイス２００との間の通信量を低減するように構成されている。
【００３０】
上記では、通信量を低減する手法として、ＰＣ１００の（携帯デバイス２００との間の）通信機能をオフにする手法を用いる例を示したが、実施形態では、通信量を第１レベルから第１レベルよりも小さい第２レベルに低減することができれば、どのような手法を用いてもよい。たとえば、ＰＣ１００と携帯デバイス２００との間の通信頻度を下げる手法を用いてもよいし、ＰＣ１００と携帯デバイス２００との間で送受信されるデータの量を減らす手法を用いてもよい。
【００３１】
なお、ＰＣ１００の通信機能をオフにし続けると、ＰＣ１００と携帯デバイス２００との間での信号の送受信が行われないため、その信号の強度に基づいてＰＣ１００の状態を切り替えることができない。したがって、携帯デバイス２００を携帯しているユーザがＰＣ１００に対する入力操作を終えてＰＣ１００から離れた場合、ＰＣ１００の状態をアンロック状態からロック状態に切り替えるために、オフになった通信機能をオンに戻す必要がある。
【００３２】
そこで、実施形態では、通信制御部５３は、ユーザの入力操作が一定時間以上検出されない場合に、ＰＣ１００の通信機能をオンに戻すように構成されている。すなわち、通信制御部５３は、ユーザの入力操作が一定時間以上検出されない場合に、携帯デバイス２００からの信号の受信を再開し、その信号の強度に応じてＰＣ１００の状態をロック状態とアンロック状態とで切り替えるように構成されている。
【００３３】
なお、実施形態では、通信制御部５３は、ＰＣ１００の通信機能がオフになっている場合に、携帯デバイス２００から信号を受信可能か否かの確認を定期的に行うために、その確認を行うタイミングでＰＣ１００の通信機能を定期的にオンにするように構成されていてもよい。
【００３４】
次に、図４を参照して、実施形態による制御プログラム５００の各モジュールがＰＣ１００の状態を切り替える際に実行する処理について説明する。
【００３５】
実施形態では、図４に示すように、演算処理部５５は、まず、ステップＳ１において、通信制御部５３により受信された携帯デバイス２００からの信号の強度を測定する。そして、ステップＳ２に処理が進む。
【００３６】
次に、ステップＳ２において、演算処理部５５は、ステップＳ１における測定結果に基づいて、携帯デバイス２００からの信号の強度がしきい値以上か否かを判断する。なお、しきい値は、一例として、携帯デバイス２００を携帯しているユーザがＰＣ１００を操作している状況で携帯デバイス２００から受信される信号の強度を基準として決定される。
【００３７】
ステップＳ２において、信号の強度がしきい値以上であると判断された場合には、ステップＳ３に処理が進む。そして、ステップＳ３において、ロック／アンロック制御部５４は、ＰＣ１００の状態をアンロック状態に設定する。すなわち、信号の強度がしきい値以上である場合とは、ＰＣ１００と携帯デバイス２００とが互いに近い位置に存在する場合であるので、この場合、ロック／アンロック制御部５４は、携帯デバイス２００のユーザがＰＣ１００を操作することを可能にするために、ＰＣ１００の状態を、ＰＣ１００に対する入力操作などを受け付けることが可能なように構成されたアンロック状態に設定する。
【００３８】
一方、ステップＳ２において、信号の強度がしきい値未満であると判断された場合には、ステップＳ４に処理が進む。そして、ステップＳ４において、ロック／アンロック制御部５４は、ＰＣ１００の状態をロック状態に設定する。すなわち、信号の強度がしきい値未満である場合とは、ＰＣ１００と携帯デバイス２００とが互いに遠い位置に存在する場合であるので、この場合、ロック／アンロック制御部５４は、携帯デバイス２００のユーザ以外のユーザがＰＣ１００を操作することを不可能にするために、ＰＣ１００の状態を、ＰＣ１００に対する入力操作などの受け付けを制限するように構成されたロック状態に設定する。
【００３９】
ステップＳ３またはＳ４の処理が実行された後には、処理が終了する。
【００４０】
次に、図５を参照して、実施形態によるＰＣ１００がアンロック状態である場合に制御プログラム５００の各モジュールが実行する処理について説明する。
【００４１】
実施形態では、図５に示すように、演算処理部５５は、まず、ステップＳ１１において、ユーザの入力操作が入力制御部５１により検出されたか否かを判断する。このステップＳ１１の処理は、ユーザの入力操作が検出されたと判断されるまで繰り返される。そして、ステップＳ１１において、ユーザの入力操作が検出されたと判断された場合、ステップＳ１２に処理が進む。
【００４２】
次に、ステップＳ１２において、通信制御部５３は、ＰＣ１００の（携帯デバイス２００との間の）通信機能をオフにする。これにより、ＰＣ１００と携帯デバイス２００との間の通信量が低減される。なお、実施形態による携帯デバイス２００は、ＰＣ１００の通信機能がオフになった場合に自身の通信機能をオフにするように構成されていてもよい。そして、処理が終了する。
【００４３】
次に、図６を参照して、実施形態によるＰＣ１００の通信機能がオフになっている場合に制御プログラム５００の各モジュールが実行する処理について説明する。
【００４４】
実施形態では、図６に示すように、演算処理部５５は、まず、ステップＳ２１において、ＰＣ１００に対するユーザの入力操作が最後に検出されてから一定時間が経過したか否かを判断する。このステップＳ２１の処理は、入力操作が最後に検出されてから一定時間が経過したと判断されるまで繰り返される。そして、ステップＳ２１において、入力操作が最後に検出されてから一定時間が経過したと判断された場合、ステップＳ２２に処理が進む。
【００４５】
次に、ステップＳ２２において、通信制御部５３は、ＰＣ１００の（携帯デバイス２００との間の）通信機能をオンにする。この時、携帯デバイス２００の（ＰＣ１００との間の）通信機能もオンになっていれば、ＰＣ１００は、ロック状態とアンロック状態とを切り替えるための携帯デバイス２００からの信号の受信を再開することができる。そして、処理が終了する。
【００４６】
以上説明したように、実施形態では、通信制御部５３は、ＰＣ１００がアンロック状態に設定された状態で、ＰＣ１００に対するユーザの入力操作が検出された場合に、携帯デバイス２００との間の通信量を低減するように構成されている。これにより、携帯デバイス２００のユーザがＰＣ１００に対して入力操作を行っているためロック状態とアンロック状態とを切り替える必要がない場合にまで、ＰＣ１００と携帯デバイス２００との間で通信が行われるのを抑制することができる。この結果、低消費電力のモードと通常のモードとを切り替えるための所定の制御信号を用いることなく、ユーザの使用状況に応じて省電力化を図ることができる。
【００４７】
（変形例）
次に、図３および図７を参照して、実施形態の変形例について説明する。この変形例の基本的な構成は、下記の部分を除いて、上記実施形態と同様である。
【００４８】
変形例による通信制御部５３ａ（図３参照）は、携帯デバイス２００に備えられたセンサ２５の出力値に基づいて、携帯デバイス２００がユーザに携帯されている場合に、携帯デバイス２００からの信号を受信するように構成されている。以下、図７を参照して、変形例による制御プログラム５００ａ（図３参照）を実行するＰＣ１００が携帯デバイス２００から信号を受信するタイミングについてより具体的に説明する。
【００４９】
変形例では、図７に示すように、携帯デバイス２００は、まず、ステップＳ３１において、携帯デバイス２００に備えられたセンサ２５の出力値を取得する。
【００５０】
次に、携帯デバイス２００は、ステップＳ３２において、ステップＳ３１において取得されたセンサ２５の出力値に応じて、ＰＣ１００との間の通信機能をオンにする。
【００５１】
たとえば、センサ２５が加速度センサである場合、加速度センサの出力値の変化を監視すれば、ユーザが携帯デバイス２００を携帯しながら移動しているか、またはユーザが携帯デバイス２００を携帯せずに放置しているか否かが分かる。また、たとえばセンサ２５が脈拍センサである場合、脈拍センサの出力値の変化を監視すれば、ユーザが携帯デバイス２００（この場合、ウェアラブルデバイス２０２）を装着しているか否かが分かる。したがって、携帯デバイス２００は、センサ２５の出力値に応じて、ユーザが携帯デバイス２００を携帯している場合に限り、ＰＣ１００との間の通信機能をオンにすることができる。すなわち、携帯デバイス２００は、センサ２５の出力値が第１状態である場合にＰＣ１００との間の通信機能をオンにし、センサ２５の出力値が第１状態とは異なる第２状態である場合にＰＣ１００との間の通信機能をオフにすることができる。以下では、ステップＳ３２において携帯デバイス２００の通信機能がオンになった場合について説明する。
【００５２】
ステップＳ３２において携帯デバイス２００の通信機能がオンになると、ＰＣ１００は、ステップＳ３３において、携帯デバイス２００との間の通信機能をオンにする。そして、ステップＳ３４において、ＰＣ１００は、携帯デバイス２００との間の距離が近いか遠いかを判定するために用いられる信号の送信を携帯デバイス２００に対して要求する。
【００５３】
ステップＳ３５において、携帯デバイス２００は、ステップＳ３４においてＰＣ１００が行った要求に応じた信号をＰＣ１００に送信する。そして、ステップＳ３６において、ＰＣ１００は、携帯デバイス２００からの信号の強度を測定する。これにより、携帯デバイス２００との間の距離が近いか遠いかが判定され、その判定結果に応じて、ＰＣ１００の状態がロック状態またはアンロック状態に設定される。
【００５４】
なお、図７では、携帯デバイス２００がセンサ２５の値に応じてＰＣ１００との間の通信機能をオンにする例を示したが、図８に示すように、携帯デバイス２００がセンサ２５の値に応じてＰＣ１００との間の通信機能をオフにする（ステップＳ４２）場合もある。この場合、ＰＣ１００が携帯デバイス２００との間の通信機能をオンにした後（ステップＳ３３）、ＰＣ１００が携帯デバイス２００に対して信号の送信を要求しても（ステップＳ３４）、携帯デバイス２００側の通信機能がオフになっているため、携帯デバイス２００からＰＣ１００に信号が送信されることがない。したがって、この図８に示す例では、ＰＣ１００は、携帯デバイス２００との間の通信が不可能であるとして、携帯デバイス２００との間の通信機能をオフにする（ステップＳ４３）。
【００５５】
以上により、変形例によれば、携帯デバイス２００に備えられたセンサ２５の出力値の変化に基づいて、ユーザが携帯デバイス２００を携帯している場合に携帯デバイス２００からの信号を受信し、ユーザが携帯デバイス２００を携帯していない場合に携帯デバイス２００からの信号を受信しないようにＰＣ１００を構成することが可能になる。したがって、変形例によれば、ユーザが携帯デバイス２００を携帯せずに放置している場合などの、ロック状態とアンロック状態とを切り替える必要がない場合にまで、ＰＣ１００と携帯デバイス２００との間で通信が行われるのを抑制することができる。この結果、ユーザの使用状況に応じて適切に省電力化を図ることができる。
【００５６】
なお、上記実施形態および変形例による制御プログラム５００および５００ａは、インストール可能な形式または実行可能な形式のコンピュータプログラムプロダクトとして提供される。すなわち、制御プログラム５００および５００ａは、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、非一時的で、コンピュータで読み取り可能な記録媒体を有するコンピュータプログラムプロダクトに含まれた状態で提供される。
【００５７】
制御プログラム５００および５００ａは、インターネットなどのネットワークに接続されたコンピュータに格納された状態で、ネットワーク経由で提供または配布されてもよい。また、制御プログラム５００および５００ａは、ＲＯＭなどに予め組み込まれた状態で提供されてもよい。
【００５８】
以上、本発明の実施形態および変形例を説明したが、上記実施形態および変形例はあくまで一例であって、発明の範囲を限定することは意図していない。上記実施形態および変形例は、様々な形態で実施されることが可能であり、発明の要旨を逸脱しない範囲で、種々の省略、置き換え、変更を行うことができる。上記実施形態および変形例は、発明の範囲や要旨に含まれるとともに、特許請求の範囲に記載された発明とその均等の範囲に含まれる。
【符号の説明】
【００５９】
１５  ＣＰＵ（プロセッサ）
２５  センサ
１００  ＰＣ（電子機器）
２００  携帯デバイス（他の電子機器）
５００、５００ａ  制御プログラム
【図１】
2016019125.tif 000003
【図２】
2016019125.tif 000004
【図３】
2016019125.tif 000005
【図４】
2016019125.tif 000006
【図５】
2016019125.tif 000007
【図６】
2016019125.tif 000008
【図７】
2016019125.tif 000009
【図８】
2016019125.tif 000010